(57)【要約】      （修正有）【課題】四脚ブロックを吊り上げる際に四脚ブロックに一人の作業者で簡単に取り付けられる安価な四脚ブロック用の吊り上げ装置を提供する。【解決手段】四脚ブロック用の吊り上げ装置６は、上側に突出しかつ先端に向かって漸次小径に形成された円柱状の起立脚部２と、起立脚部２を中心に斜め下側の三方向に突出しかつ先端に向かって漸次小径に形成された円柱状の傾斜脚部３とからなる四脚ブロック１を吊り上げる。傾斜脚部３のうちの一本の傾斜脚部における前方端面５に設置される支圧プレート９と、支圧プレート９の両端部に取り付けられて前方端面５の面取り部４に設置される側板１０とからなる掛止具７と、掛止具７にＵターン状に掛け止めされた吊り上げワイヤー８とから構成され、吊り上げワイヤーの左右のワイヤー間には起立脚部２に掛け渡される補助ワイヤー２８が設置されてなる。【選択図】図８
2010173786.tif 000002
【特許請求の範囲】
【請求項１】
上側に突出しかつ先端に向かって漸次小径に形成された円柱状の起立脚部と、該起立脚部を中心に斜め下側の三方向に突出しかつ先端に向かって漸次小径に形成された円柱状の傾斜脚部とからなる四脚ブロックを吊り上げるものであり、傾斜脚部のうちの一本の傾斜脚部における前方端面に設置される支圧プレートと、該支圧プレートの両端部に取り付けられて前方端面の面取り部に設置される側板とからなる掛止具と、該掛止具にＵターン状に掛け止めされた吊り上げワイヤーとから構成され、該吊り上げワイヤーの左右のワイヤー間には起立脚部に掛け渡される補助ワイヤーが設置されたことを特徴とする四脚ブロック用の吊り上げ装置。
【請求項２】
支圧プレートは、傾斜脚部における前方端面の中心より下側に設置されたことを特徴とする請求項１に記載の四脚ブロック用の吊り上げ装置。
【請求項３】
側板には傾斜脚部の周面に設置される保護板が設置されたことを特徴とする請求項１または２に記載の四脚ブロック用の吊り上げ装置。
【請求項４】
吊り上げワイヤーは掛止具における支圧プレートのワイヤー取付具に掛け止めされ、該ワイヤー取付具は適宜な間隙部をもって突設された上部プレートと下部プレートとからなり、前記間隙部に掛け止めされた吊り上げワイヤーの掛け外れを防ぐ止板が上下部プレート間にわたって設置されたことを特徴とする請求項１〜３のいずれかに記載の四脚ブロック用の吊り上げ装置。
【請求項５】
請求項１に記載の四脚ブロック用の吊り上げ装置を使用するものであり、四脚ブロックにおける起立脚部の外周に補助ワイヤーを引っ掛けるとともに、一本の傾斜脚部における前方端面と面取り部とに支圧プレートと側板とを設置した後、吊り上げワイヤーをクレーンで吊り上げて四脚ブロックを吊り上げることを特徴とする四脚ブロックの吊り上げ方法。
【請求項６】
支圧プレートは、傾斜脚部における前方端面の中心より下側に設置されることを特徴とする請求項５に記載の四脚ブロック用の吊り上げ方法。
【請求項７】
側板には傾斜脚部の外周面に設置される保護板が設置されたことを特徴とする請求項５または６に記載の四脚ブロック用の吊り上げ方法。
【発明の詳細な説明】
【技術分野】
【０００１】
本願発明は護岸や河川の消波などに使用されるコンクリート製の四脚ブロック（いわゆるテトラ形の消波ブロック）を脱型する際の吊り上げ装置および四脚ブロックの吊り上げ方法に関するものである。
【背景技術】
【０００２】
従来の四脚ブロックを脱型する際の吊り上げ用治具としては、特開２００４−３０７０７７号の発明が知られている。これは図１に示すように、斜め下向きの３本の突出脚の外方を枠状本体で囲み、この枠状本体に引っ掛けたワイヤーなどの吊り手段で吊り上げるというものである。
【先行技術文献】
【特許文献】
【０００３】
【特許文献１】特開２００４−３０７０７７号公報
【発明の概要】
【発明が解決しようとする課題】
【０００４】
しかし、上記のような四脚ブロックの吊り上げ用治具は、斜め下向きの３本の突出脚の外方を囲む枠状本体が大がかりで高価になるばかりでなく、枠状本体の突出脚への取り付けも複数の作業者で行うために煩雑となって工程および工費が嵩むという問題があった。
【０００５】
本願発明はこれらの問題に鑑みてなされたものであり、その目的は、四脚ブロックを吊り上げる際に四脚ブロックに一人の作業者で簡単に取り付けられる安価な四脚ブロック用の吊り上げ装置および四脚ブロックの吊り上げ方法を提供することである。
【課題を解決するための手段】
【０００６】
以上の課題を解決するための四脚ブロック用の吊り上げ装置は、上側に突出しかつ先端に向かって漸次小径に形成された円柱状の起立脚部と、該起立脚部を中心に斜め下側の三方向に突出しかつ先端に向かって漸次小径に形成された円柱状の傾斜脚部とからなる四脚ブロックを吊り上げるものであり、傾斜脚部のうちの一本の傾斜脚部における前方端面に設置される支圧プレートと、該支圧プレートの両端部に取り付けられて前方端面の面取り部に設置される側板とからなる掛止具と、該掛止具にＵターン状に掛け止めされた吊り上げワイヤーとから構成され、該吊り上げワイヤーの左右のワイヤー間には起立脚部に掛け渡される補助ワイヤーが設置されたことを特徴とする。また支圧プレートは、傾斜脚部における前方端面の中心より下側に設置されたことを含む。また側板には傾斜脚部の外周面に設置される保護板が設置されたことを含む。また吊り上げワイヤーは掛止具における支圧プレートのワイヤー取付具に掛け止めされ、該ワイヤー取付具は適宜な間隙部をもって突設された上部プレートと下部プレートとからなり、前記間隙部に掛け止めされた吊り上げワイヤーの掛け外れを防ぐ止板が上下部プレート間にわたって設置されたことを含むものである。
【０００７】
また四脚ブロックの吊り上げ方法は、傾斜脚部のうちの一本の傾斜脚部における前方端面に設置される支圧プレートと、該支圧プレートの両端部に取り付けられて前方端面の面取り部に設置される側板とからなる掛止具と、該掛止具にＵターン状に掛け止めされた吊り上げワイヤーとから構成され、該吊り上げワイヤーの左右のワイヤー間には起立脚部に掛け渡される補助ワイヤーが設置された四脚ブロック用の吊り上げ装置を使用するものであり、四脚ブロックにおける起立脚部の外周に補助ワイヤーを引っ掛けるとともに、一本の傾斜脚部における前方端面と面取り部とに支圧プレートと側板とを設置した後、吊り上げワイヤーをクレーンで吊り上げて四脚ブロックを吊り上げることを特徴とする。また支圧プレートは、傾斜脚部における前方端面の中心より下側に設置されることを含む。また側板には傾斜脚部の外周面に設置される保護板が設置されたことを含むものである。
【発明の効果】
【０００８】
一人の作業者で吊り上げ装置の持ち運びや取り扱いができるので、四脚ブロックの起立脚部の外周面に補助ワイヤーを掛けるとともに、一本の傾斜脚部における前方端面と面取り部とに支圧プレートと側板とを簡単に設置することができる。そして、四脚ブロックに取り付けた吊り上げ装置の吊り上げワイヤーをクレーンで吊り上げると、支圧プレートと側板とが前方端面と面取り部とに押圧されて四脚ブロックが型枠から持ち上げられる。上記の支圧プレートは上側に向かって外側（傾斜脚部から離れる方向）に傾斜した前方端面の中心より下側（円形の中心より偏心した位置）でかつ型枠より上側に、前方端面を横切って水平に設置されるとともに、側板の大部分（２／３以上）も前方端面の中心より下側に設置されるため、四脚ブロックが持ち上げられたときに、支圧プレートと側板とが前方端面と面取り部とに押圧されるため外れることがない。一方、起立脚部の外周面に補助ワイヤーが掛けられているため、一本の傾斜脚部に作用する力によって四脚ブロックが回転せずにバランス良く吊り上げられる。またこの四脚ブロックを所定の箇所に吊り降ろした後、吊り上げワイヤーを下げると、支圧プレートと側板との押圧力が解除されて前方端面と面取り部とから取り外される。そして、起立脚部から補助ワイヤーを取り外すと、吊り上げ装置が四脚ブロックから簡単に取り外せる。
【図面の簡単な説明】
【０００９】
【図１】四脚ブロックであり、（１）は平面図、（２）は正面図である。
【図２】第１の実施の形態の吊り上げ装置であり、（１）は正面図、（２）は側面図である。
【図３】（１）は傾斜脚部の前方端面に掛止具を設置した正面図、（２）は同断面図である。
【図４】傾斜脚部の前方端面に掛止具を設置した側面図である。
【図５】傾斜脚部の前方端面に掛止具を設置した斜視図である。
【図６】傾斜脚部の前方端面に掛止具を設置した斜視図である。
【図７】第２の実施の形態の吊り上げ装置であり、（１）は正面図、（２）は側面図である。
【図８】吊り上げ装置で四脚ブロックを吊り上げた斜視図である。
【発明を実施するための形態】
【００１０】
以下、本願発明の四脚ブロック用の吊り上げ装置（以下吊り上げ装置という）の実施の形態を図面に基づいて説明する。この四脚ブロック１は、図１に示すように、上側に突出しかつ先端に向かって漸次小径に形成された円柱状の起立脚部２と、該起立脚部２を中心に斜め下側の三方向に突出しかつ先端に向かって漸次小径に形成された円柱状の傾斜脚部３とから構成され、これら傾斜脚部３の前端部には面取り部４と、上側に向かって外側（傾斜脚部から離れる方向）に傾斜した円形の前方端面５とが形成された、いわゆるテトラ形の消波ブロックである。
【００１１】
また図２は、三本の傾斜脚部３の下側における下部型枠（図示せず）から四脚ブロック１を吊り上げる第１の実施の形態の吊り上げ装置６であり、掛止具７と吊り上げワイヤー８とから構成されている。
【００１２】
この掛止具７は支圧プレート９と、この支圧プレート９の両側に形成された側板１０と、該側板１０に形成された保護板１２と、支圧プレート９の前面に突設されたワイヤー取付具１３とから構成されている。
【００１３】
この支圧プレート９は、図３に示すように、前方端面５に設置される適宜幅の平板であり、両側端部の側板１０が内側に湾曲して形成されている。この側板１０は面取り部４に設置されるため、面取り部の傾斜角αと同じ角度で設置されている。また側板１０には、面取り部４と傾斜脚部の外周面１１との角部１４を吊り上げワイヤー８から保護する保護板１２が、面取り部４と傾斜脚部の外周面１１との傾斜角θと同じ角度をもって設置されている。
【００１４】
したがって、支圧プレート９を前方端面の中心１５より下側に、前方端面を横切って水平に設置すると、側板１０が面取り部４に、保護板１２が傾斜脚部の外周面１１にそれぞれ設置されるが、前記側板１０も前方端面の中心１５より下側に設置される。これは支圧プレート９が側板１０の上部に設置されて、側板の下側の大部分（約２／３以上の長さ）が支圧プレート９より下側に伸びているためである。
【００１５】
またワイヤー用取付具１３は、図４に示すように、支圧プレート前面から側板前面にかけて適宜な間隙部１６をもって突設された上部プレート１７と下部プレート１８とから形成され、この上下部プレート１７、１８には、間隙部１６に挿入された吊り上げワイヤー８が抜け出るのを防ぐ平板状の止板１９がボルト２０で固定されている。この上部プレート１７は水平材２１と垂直材２２とからなる断面Ｔ形であり、両側に側板１０と同じ傾斜角で傾斜された折曲部２３が形成され、この折曲部２３が端部に向かって上側に傾斜している。
【００１６】
一方、下部プレート１８も上記と同じように水平材２１と垂直材２２とからなる断面Ｌ形であるが、上記のような折曲部２３がなく、この折曲部２３に代わるガイド板２４が側板１０に突設されている。また止板の上側の支圧プレート９には、掛止具７を持ち運んだりする環状の取っ手２５が設置されている。
【００１７】
またワイヤー用取付具１３の上部プレート１７と下部プレート１８との間隙部１６には、Ｕターン状に折り曲げられた吊り上げワイヤーのＵターン部２６が挿入されて掛け止めされ、左右のワイヤー８ａ、８ｂの上端部にはクレーンのフックを引っ掛けるリング２７が形成されている。また、これら左右のワイヤー８ａ、８ｂ間には起立脚部２に掛け渡される補助ワイヤー２８が設置されている。
【００１８】
また図７は第２の実施の形態の吊り上げ装置２９である。この吊り上げ装置２９は掛止具７における側板１０に保護板が設置されていないものであり、これ以外は上記の第１の実施の形態の吊り上げ装置６と同じ構成である。
【００１９】
なおワイヤー用取付具１３は、上記の第１および第２の実施の形態のものに限定されず、支圧プレート９に設置されたフック、または支圧プレート９に突設されたワイヤー用挿入孔を備えた平板などであってもよい。
【００２０】
次に、第１の実施の形態の吊り上げ装置６を使用した四脚ブロックの吊り上げ方法について説明する。この吊り上げ装置６は一人の作業者で持ち運びができるため、四脚ブロック１における起立脚部２の外周に補助ワイヤー２８を引っ掛けるとともに、一本の傾斜脚部３における前方端面５と面取り部４とに支圧プレート９と側板１０と設置する。この支圧プレート９は上側に向かって外側（傾斜脚部から離れる方向）に傾斜した前方端面の中心１５より下側（円形の中心より偏心した位置）でかつ型枠より上側に、前方端面５を横切って水平に設置するとともに、側板１０も前方端面の中心１５より下側に設置する。    
【００２１】
次に、吊り上げワイヤー８をクレーンで吊り上げると、図８に示すように、支圧プレート９と側板１０とが前方端面５と面取り部４とに押圧され、支圧プレート９が前方端面の中心１５より下側でかつ型枠より上側に設置され、側板１０も前方端面の中心１５より下側に設置されるため、前方端面５と面取り部４とから掛止具７が外れないようになっている。また起立脚部２の外周には補助ワイヤー２８が掛けられるため、一本の傾斜脚部３に作用する力によって四脚ブロック１が回転するのを防いでバランス良く吊り上げられる。
【００２２】
次に、この四脚ブロック１を所定の箇所に吊り降ろした後、吊り上げワイヤー８を下げると、支圧プレート９と側板１０とに作用していた押圧力がなくなるため掛止具７が前方端面５と面取り部４とから外される。そして、起立脚部２から補助ワイヤー２８を取り外すと、吊り上げ装置６が四脚ブロック１から簡単に取り外せる。
【００２３】
なお、第２の実施の形態の吊り上げ装置２９を使用した四脚ブロックの吊り上げ方法も上記と同じ方法である。
【符号の説明】
【００２４】
１  四脚ブロック
２  起立脚部
３  傾斜脚部
４  面取り部
５  前方端面
６、２９  吊り上げ装置
７  掛止具
８  吊り上げワイヤー
８ａ、８ｂ  左右のヤイヤー
９  支圧プレート
１０  側板
１１  外周面
１２  保護板
１３  ワイヤー取付具
１４  角部
１５  前方端面の中心
１６  間隙部
１７  上部プレート
１８  下部プレート
１９  止板
２０  ボルト
２１  水平材
２２  垂直材
２３  折曲部
２４  ガイド板
２５  取っ手
２６  Ｕターン部
２７  リング
２８  補助ワイヤー
【図１】
2010173786.tif 000003
【図２】
2010173786.tif 000004
【図３】
2010173786.tif 000005
【図４】
2010173786.tif 000006
【図５】
2010173786.tif 000007
【図６】
2010173786.tif 000008
【図７】
2010173786.tif 000009
【図８】
2010173786.tif 000010